(57)【要約】【課題】光ネットワークの変更に係るコストと時間が大きいという問題を解決する光信号送受信装置を提供する。【解決手段】インタフェース統括部４４は、クライアント信号送受信装置１との間で送受信可能な光信号の第一インタフェースと、ＷＤＭ信号送受信装置２との間で送受信可能な光信号の第二インタフェースとを示す設定コマンドを受け付ける。インタフェース統括部４４は、クライアントインタフェース部４１‐ｎに対して第一インタフェースのクライアント信号を送受信するように設定し、ＷＤＭインタフェース部４２‐１〜ｍに対して第二インタフェースＷＤＭ信号を送受信するように設定する。【選択図】図１
2012029048.tif 000002
【特許請求の範囲】
【請求項１】
第一光通信装置との間で第一光信号の送受信を行う第一通信部と、
第二光通信装置との間で第二光信号の送受信を行う第二通信部と、
前記第一通信部が受信した第一光信号である受信第一光信号を前記第二通信部から送信される第二光信号である送信第二光信号に変換し、前記第二通信部が受信した第二光信号である受信第二光信号を前記第一通信部から送信される第一光信号である送信第一光信号に変換する変換部と、
前記第一光通信装置との間で送受信可能な光信号の第一インタフェースと前記第二光通信装置との間で送受信可能な光信号の第二インタフェースを示す設定コマンドを受け付け、前記第一通信部に対して前記第一インタフェースの第一光信号を送受信するような設定を行い、前記第二通信部に対して前記第二インタフェースの第二光信号を送受信するような設定を行う統括部と、を有する光信号送受信装置。
【請求項２】
前記第一光信号および前記第二光信号のそれぞれは、複数あり、
前記設定コマンドは、各第一光信号の第一伝送レートと各第二光信号の第二伝送レートとをさらに示し、
前記統括部は、前記変換部に対して、各受信第一光信号が前記設定コマンドにて示される第二伝送レートの各送信第二光信号に変換され、各受信第二光信号が前記設定コマンドにて示される第一伝送レートの各送信第一光信号に変換されるような設定を行う、請求項１に記載の光信号送受信装置。
【請求項３】
前記設定コマンドは、前記第一光信号の数である第一設定数と、前記第二光信号の数である第二設定数とをさらに示し、
前記統括部は、前記第一設定数が前記第一通信部にて送受信可能な光信号の数である第一設定最大値以下であり、かつ、前記第二設定数が前記第二通信部にて送受信可能な光信号の数である第二設定最大値以下の場合、前記第一通信部、前記第二通信部および前記変換部に対する前記設定を行う、請求項２に記載の光信号送受信装置。
【請求項４】
前記統括部は、前記第一伝送レートの合計値と前記第二伝送レートの合計値とが一致している場合、前記第一通信部、前記第二通信部および前記変換部に対する前記設定を行う、請求項２または３に記載の光信号送受信装置。
【請求項５】
第一光通信装置との間で第一光信号の送受信を行う第一通信部と、第二光通信装置との間で第二光信号の送受信を行う第二通信部と、前記第一通信部が受信した第一光信号である受信第一光信号を前記第二通信部から送信される第二光信号である送信第二光信号に変換し、前記第二通信部が受信した第二光信号である受信第二光信号を前記第一通信部から送信される第一光信号である送信第一光信号に変換する変換部と、を有する光信号送受信装置によるインタフェース設定方法であって、
前記第一光通信装置との間で送受信可能な光信号の第一インタフェースと前記第二光通信装置との間で送受信可能な光信号の第二インタフェースを示す設定コマンドを受け付け、
前記第一通信部に対して前記第一インタフェースの第一光信号を送受信するような設定を行い、前記第二通信部に対して前記第二インタフェースの第二光信号を送受信するような設定を行う、インタフェース設定方法。
【発明の詳細な説明】
【技術分野】
【０００１】
本発明は、光信号送受信装置およびインタフェース設定方法に関し、特には、波長分割多重（ＷＤＭ: Wavelength Division Multiplex）方式を用いた光伝送システムに使用される光信号送受信装置およびインタフェース設定方法に関する。
【背景技術】
【０００２】
近年の通信ネットワーク上の通信量の増大化に伴い、通信容量の大きい波長分割多重方式（以下、ＷＤＭ方式と略す）を用いた光伝送システムが注目され、既にインターネット・バックボーンやメトロポリタン・エリア・ネットワークなどに導入されている。
【０００３】
ＷＤＭ方式を用いた光伝送システムでは、複数の光波長信号が多重化された光信号であるＷＤＭ信号が光ネットワーク上を伝送される。より具体的には、クライアント装置からの電気信号がクライアント信号送受信装置にて光信号であるクライアント信号に変換される。そして、クライアント信号は、光信号送受信装置にて光ネットワークに応じたインタフェースのＷＤＭ信号に変換され、その後、光ネットワークを介して他の光信号送受信装置に送信される。なお、光信号送受信装置は、光信号のインタフェースに対応した光送受信モジュールを備えており、その光送受信モジュールを用いてクライアント信号やＷＤＭ信号の送受信を行っている（特許文献１〜４参照）。
【先行技術文献】
【特許文献】
【０００４】
【特許文献１】特開２００８−１１３３４４号公報
【特許文献２】特開２００８−２２７６４７号公報
【特許文献３】特開２００８−２２７９９３号公報
【特許文献４】特開２００８−２２７９９５号公報
【発明の概要】
【発明が解決しようとする課題】
【０００５】
ＷＤＭ方式を用いた光伝送システムでは、構成などを容易に変更することができる柔軟な光ネットワークの構築が求められている。しかしながら、光ネットワークの構成などが変更されると、その光ネットワークを伝送可能な光信号のインタフェースが変化することがある。この場合、光信号送受信装置に備わった光送受信モジュールを光信号のインタフェースにあわせて物理的に変更する必要があり、光ネットワークの変更に係るコストと時間が大きいという問題がある。
【０００６】
そこで、本発明の目的は、上記の課題である、光ネットワークの変更に係るコストと時間が大きいという問題を解決する光信号送受信装置およびインタフェース設定方法を提供することである。
【課題を解決するための手段】
【０００７】
本発明による光信号送受信装置は、第一光通信装置との間で第一光信号の送受信を行う第一通信部と、第二光通信装置との間で第二光信号の送受信を行う第二通信部と、前記第一通信部が受信した第一光信号である受信第一光信号を前記第二通信部から送信される第二光信号である送信第二光信号に変換し、前記第二通信部が受信した第二光信号である受信第二光信号を前記第一通信部から送信される第一光信号である送信第一光信号に変換する変換部と、前記第一光通信装置との間で送受信可能な光信号の第一インタフェースと前記第二光通信装置との間で送受信可能な光信号の第二インタフェースを示す設定コマンドを受け付け、前記第一通信部に対して前記第一インタフェースの第一光信号を送受信するような設定を行い、前記第二通信部に対して前記第二インタフェースの第二光信号を送受信するような設定を行う統括部と、を有する。
【０００８】
また、本発明によるインタフェース設定方法は、第一光通信装置との間で第一光信号の送受信を行う第一通信部と、第二光通信装置との間で第二光信号の送受信を行う第二通信部と、前記第一通信部が受信した第一光信号である受信第一光信号を前記第二通信部から送信される第二光信号である送信第二光信号に変換し、前記第二通信部が受信した第二光信号である受信第二光信号を前記第一通信部から送信される第一光信号である送信第一光信号に変換する変換部と、を有する光信号送受信装置によるインタフェース設定方法であって、前記第一光通信装置との間で送受信可能な光信号の第一インタフェースと前記第二光通信装置との間で送受信可能な光信号の第二インタフェースを示す設定コマンドを受け付け、前記第一通信部に対して前記第一インタフェースの第一光信号を送受信するような設定を行い、前記第二通信部に対して前記第二インタフェースの第二光信号を送受信するような設定を行う。
【発明の効果】
【０００９】
本発明によれば、光ネットワークの変更に係るコストと時間とを軽減することが可能になる。
【図面の簡単な説明】
【００１０】
【図１】本発明の一実施形態の光伝送システムを示す図である。
【図２】本発明の一実施形態の光伝送システムの動作の一例を説明するための図である。
【図３】本発明の一実施形態の光伝送システムの動作の具体例を説明するための図である。
【発明を実施するための形態】
【００１１】
以下、本発明の実施形態について図面を参照して説明する。
【００１２】
図１は、本発明の一実施形態の光伝送システムを示す図である。図１において、光伝送システムは、クライアント信号送受信装置１と、ＷＤＭ信号送受信装置２と、コマンド送信端末３と、光送受信装置４とを有する。なお、光送受信装置４は、クライアント信号送受信装置１およびＷＤＭ信号送受信装置２のそれぞれと光ファイバを介して相互に接続されている。また、光送受信装置４は、コマンド送信端末３と電気ケーブルを介して相互に接続されている。
【００１３】
クライアント信号送受信装置１は、第一光信号であるクライアント信号の送受信を行う第一光通信装置である。ここで、クライアント信号は、単一の光波長信号であるとする。また、クライアント信号送受信装置１は、複数のクライアント信号の送受信をパラレルに行うこともできる。
【００１４】
ＷＤＭ信号送受信装置２は、第二光信号であるＷＤＭ信号の送受信を行う第二光通信装置である。ここで、ＷＤＭ信号は、複数の光波長信号が多重された光信号である。また、ＷＤＭ信号送受信装置２は、複数のＷＤＭ信号の送受信をパラレルに行うこともできる。
【００１５】
コマンド送信端末３は、クライアント信号およびＷＤＭ信号のインタフェースを設定する旨の設定コマンドを光送受信装置４に送信する。設定コマンドは、クライアント信号およびＷＤＭ信号のインタフェースの設定に必要な設定情報を含む。
【００１６】
光送受信装置４は、クライアントインタフェース部４１‐１〜ｎと、ＷＤＭインタフェース部４２‐１〜ｍと、光信号合波・分波部４３と、インタフェース統括部４４とを有する。ｎおよびｍのそれぞれは、２以上の整数であるとする。
【００１７】
クライアントインタフェース部４１‐１〜ｎのそれぞれは、クライアント信号送受信装置１との間でクライアント信号の送受信を行う第一通信部である。ＷＤＭインタフェース部４２‐１〜ｍのそれぞれは、ＷＤＭ信号送受信装置２との間でＷＤＭ信号の送受信を行う第二通信部である。
【００１８】
光信号合波・分波部４３は、クライアント信号およびＷＤＭ信号間の変換を行う変換部である。より具体的には、光信号合波・分波部４３は、クライアントインタフェース部４１‐１〜ｎのそれぞれが受信した受信クライアント信号の合波および分波を行い、その受信クライアント信号をＷＤＭインタフェース部４２‐１〜ｍから送信される送信ＷＤＭ信号に変換する。また、光信号合波・分波部４３は、ＷＤＭインタフェース部４２‐１〜ｍのそれぞれが受信した受信ＷＤＭ信号の合波および分波を行い、その受信ＷＤＭ信号をクライアントインタフェース部４１‐１〜ｎから送信される送信クライアント信号に変換する。
【００１９】
インタフェース統括部４４には、クライアントインタフェース部４１‐１〜ｎにてパラレルに送受信可能なクライアント信号の数である第一設定最大値と、ＷＤＭインタフェース部４２‐１〜ｍにてパラレルに送受信可能なＷＤＭ信号の数である第二設定最大値とが予め設定されている。なお、一つのクライアントインタフェース部が一つのクライアント信号の送受信を行い、一つのＷＤＭインタフェース部が一つのＷＤＭ信号の送受信を行う。このため、第一設定最大値は、クライアントインタフェース部の数「ｎ」と等しく、第二設定最大値は、ＷＤＭインタフェース部の数「ｍ」と等しい。
【００２０】
インタフェース統括部４４は、コマンド送信端末３から設定コマンドを受け付ける。ここでは、設定コマンドに含まれる設定情報は、クライアント信号送受信装置１とパラレルに送受信されるクライアント信号の数である第一設定数と、ＷＤＭ信号送受信装置２との間でパラレルに送受信されるＷＤＭ信号の数である第二設定数と、各クライアント信号のインタフェースと、各ＷＤＭ信号のインタフェースと、各クライアント信号の伝送レートと、各ＷＤＭ信号の伝送レートとを示す。
【００２１】
以下、各クライアント信号のインタフェースを第一インタフェースと称し、各ＷＤＭ信号のインタフェースを第二インタフェースと称する。また、各クライアント信号の伝送レートを第一伝送レートと称し、各ＷＤＭ信号の伝送レートを第二伝送レートと称する。
【００２２】
インタフェース統括部４４は、設定情報が示す第一設定数が予め設定されている第一設定最大値ｎを超えているか否かと、設定情報が示す第二設定数が予め設定されている第二設定最大値ｍを超えているか否かとを判断する。さらに、インタフェース統括部４４は、設定情報が示す第一伝送レートの合計値と、設定情報が示す第二伝送レートの合計値とが互いに一致するか否かを判断する。
【００２３】
第一設定数が第一最大値ｎ以下であり、第二設定数が第二最大値ｍ以下であり、かつ、第一伝送レートの合計値および第二伝送レートの合計値が互いに一致する場合、インタフェース統括部４４は、設定コマンドに基づいて、クライアントインタフェース部４１‐１〜ｎと、ＷＤＭインタフェース部４２‐１〜ｍと、光信号合波・分波部４３とに対して設定を行う。
【００２４】
より具体的には、インタフェース統括部４４は、クライアントインタフェース部４１‐１〜ｎのそれぞれについては、第一インタフェースのクライアント信号が送受信されるように設定し、ＷＤＭインタフェース部４２‐１〜ｍのそれぞれについては、第二インタフェースのＷＤＭ信号が送受信されるように設定する。
【００２５】
また、インタフェース統括部４４は、光信号合波・分波部４３に対して、各受信クライアント信号が第二伝送レートの各送信ＷＤＭ信号に変換され、各受信ＷＤＭ信号が第一伝送レートの各送信クライアント信号に変換されるように設定する。
【００２６】
次に光伝送システムの動作を説明する。
【００２７】
図２は、光伝送システムの動作を説明するためのフローチャートである。より具体的には、インタフェースや伝送レートを設定する際の光伝送システムの動作を説明するためのフローチャートである。
【００２８】
先ず、コマンド送信端末３は、設定コマンドを光送受信装置４のインタフェース統括部４４に送信する（ステップＳ２０１）。
【００２９】
インタフェース統括部４４は、設定コマンドを受け付け、その設定コマンドにて示される、クライアント信号の数である第一設定数、および、ＷＤＭ信号の数である第二設定数を確認する。インタフェース統括部４４は、第一設定数が予め設定されている第一設定最大値ｎを超えているか否かと、第二設定数が予め設定されている第二設定最大値ｍを超えているか否かとを判断する（ステップＳ２０２）。
【００３０】
第一設定数が第一設定最大値ｎを超えている場合、および、第二設定数が第二設定最大値ｍを超えている場合、インタフェース統括部４４は、設定コマンドに対する応答情報として、設定エラーを示す応答情報をコマンド送信端末３に出力する。コマンド送信端末３は、応答情報を受け付けると、その応答情報を光伝送システムの管理者などに通知する（ステップＳ２０３）。
【００３１】
一方、第一設定数が第一設定最大値ｎ以下であり、かつ、第二設定数が第二設定最大値ｍ以下の場合、インタフェース統括部４４は、設定コマンドにて示される各クライアント信号および各ＷＤＭ信号の伝送レートを確認する。インタフェース統括部４４は、各クライアント信号の第一伝送レートの合計値と、各ＷＤＭ信号の第二伝送レートの合計値とが互いに一致するか否かを判断する（ステップＳ２０４）。
【００３２】
それらの合計値が互いに異なっている場合、インタフェース統括部４４は、設定コマンドに対する応答情報として、設定エラーを示す応答情報をコマンド送信端末３に出力する。コマンド送信端末３は、応答情報を受け付けると、その応答情報を光伝送システムの管理者などに通知する（ステップＳ２０５）。
【００３３】
一方、それらの合計値が互いに一致している場合、インタフェース統括部４４は、第一インタフェースを示す設定情報をクライアントインタフェース部４１‐１〜ｎに通知し、第二インタフェースを示す設定情報をＷＤＭインタフェース部４２‐１〜ｍに通知し、設各クライアント信号の第一伝送レートおよび各ＷＤＭ信号の第二伝送レートを示す設定情報を光信号合波・分波部４３に通知する（ステップＳ２０６）。
【００３４】
クライアントインタフェース部４１‐１〜ｎは、設定情報を受信すると、その設定情報が示す第一インタフェースのクライアント信号が送受信できるように設定する。例えば、クライアントインタフェース部４１‐１〜ｎのそれぞれは、複数のインタフェースのそれぞれのクライアント信号を送受信可能な複数の送受信回路を備える。そして、クライアントインタフェース部４１‐１〜ｎのそれぞれは、設定情報が示す第一インタフェースのクライアント信号を送受信可能な送受信回路を、クライアント信号送受信装置１と接続された光ファイバと、光信号合波・分波部４３とに接続させることで、第一インタフェースのクライアント信号が送受信できるように設定する。
【００３５】
また、ＷＤＭインタフェース部４２‐１〜ｍは、設定情報を受信すると、その設定情報が示す第二インタフェースのクライアント信号が送受信できるように設定する。例えば、ＷＤＭインタフェース部４２‐１〜ｍのそれぞれは、複数のインタフェースのそれぞれのＷＤＭ信号を送受信可能な複数の送受信回路を備える。そして、ＷＤＭインタフェース部４２‐１〜ｍのそれぞれは、設定情報が示す第二インタフェースのクライアント信号を送受信可能な送受信回路を、ＷＤＭ信号送受信装置２と接続された光ファイバと、光信号合波・分波部４３とに接続させることで、第二インタフェースのＷＤＭ信号が送受信できるように設定する。
【００３６】
光信号合波・分波部４３は、設定情報を受信すると、受信クライアント信号が設定情報にて示される第二伝送レートの送信ＷＤＭ信号に変換され、受信ＷＤＭ信号が設定情報にて示される第一伝送レートの送信クライアント信号に変換されるように設定する。
【００３７】
クライアントインタフェース部４１‐１〜ｎ、ＷＤＭインタフェース部４２‐１〜ｍおよび光信号合波・分波部４３のそれぞれは、設定が完了すると、設定完了通知をインタフェース統括部４４に送信する。インタフェース統括部４４は、それらの設定完了通知を全て受信すると、設定コマンドに対する応答情報として、設定ＯＫを示す応答情報をコマンド送信端末３に返信するコマンド送信端末３に出力する。コマンド送信端末３は、応答情報を受け付けると、その応答情報を光伝送システムの管理者などに通知する（ステップＳ２０８）。
【００３８】
以上の動作により光送受信装置４に対する設定が完了する。その設定完了後に、クライアント信号送受信装置１から、第一インタフェースのクライアント信号がクライアントインタフェース部４１‐１〜ｎに送信され、ＷＤＭ信号送受信装置２から、第二インタフェースのＷＤＭ信号がＷＤＭインタフェース部４２‐１〜ｍに送信される。
【００３９】
クライアントインタフェース部４１‐１〜ｎは、クライアント信号送受信装置１からクライアント信号を受信し、そのクライアント信号を光信号合波・分波部４３に送信する。
【００４０】
光信号合波・分波部４３は、クライアント信号を受信すると、それらのクライアント信号を合波する。光信号合波・分波部４３は、その合波信号を、上記の設定された第二伝送レートのＷＤＭ信号に分波してＷＤＭインタフェース部４２‐１〜ｍに送信する。
【００４１】
ＷＤＭインタフェース部４２‐１〜ｍは、ＷＤＭ信号を受信すると、そのＷＤＭ信号のインタフェースを第二インタフェースに変換してＷＤＭ信号送受信装置２に送信する。
【００４２】
また、ＷＤＭインタフェース部４２‐１〜ｍは、ＷＤＭ信号送受信装置２からＷＤＭ信号を受信し、そのＷＤＭ信号を光信号合波・分波部４３に送信する。
【００４３】
光信号合波・分波部４３は、ＷＤＭ信号を受信すると、それらのＷＤＭ信号を合波する。光信号合波・分波部４３は、上記の設定された第一伝送レートのクライアント信号に分波してクライアントインタフェース部４１‐１〜ｎに送信する。
【００４４】
クライアントインタフェース部４１‐１〜ｎは、クライアント信号を受信すると、そのクライアント信号のインタフェースを第一インタフェースに変換してクライアント信号送受信装置１に送信する。
【００４５】
次に光伝送システムの動作の具体例を説明する。
【００４６】
図３は、光伝送システムの動作の具体例を説明するための図である。なお、以下では、クライアント信号としては、伝送レート「１０Ｇｂｉｔ／ｓ」の光信号が３つと、伝送レート「２．５Ｇｂｉｔ／ｓ」の光信号が４つあるとする。ＷＤＭ信号としては、伝送レート「１０Ｇｂｉｔ／ｓ」の光信号が２つと、伝送レート「２．５Ｇｂｉｔ／ｓ」の光信号が４つと、伝送レート「１Ｇｂｉｔ／ｓ」の光信号が１０あるとする。また、クライアントインタフェース部の設定最大値ｎとＷＤＭインタフェース部の設定最大値ｍは、ともに２０とする。
【００４７】
コマンド送信端末３は、設定コマンドを光送受信装置４のインタフェース統括部４４に送信する（ステップＳ３０１）。
【００４８】
インタフェース統括部４４は、設定コマンドを受け付け、その設定コマンドにて示される設定数「７」および第二設定数「１６」を確認する。インタフェース統括部４４は、第一設定数「７」が第一設定最大値「２０」を超えているか否かと、第二設定数「１６」が第二設定最大値「２０」を超えているか否かとを判断する。ここでは、第一設定数「７」＞第一設定最大値「２０」および第二設定数「１６」＞第二設定最大値「２０」を満たすので、インタフェース統括部４４は、第一設定数および第二設定数がともに設定最大値以下であることを確認する（ステップＳ３０２）。
【００４９】
続いて、インタフェース統括部４４は、クライアント信号の伝送レートの合計値「４０Ｇｂｉｔ／ｓ（＝１０Ｇｂｉｔ／ｓ×３＋２．５Ｇｂｉｔ／ｓ×４）」と、ＷＤＭ信号の伝送レートの合計値「４０Ｇｂｉｔ／ｓ（＝１０Ｇｂｉｔ／ｓ×２＋２．５Ｇｂｉｔ／ｓ×４＋１Ｇｂｉｔ／ｓ×１０）」とを確認し、それらの合計値が一致しているか否かを判断する。ここでは、それらの合計値が共に４０Ｇｂｉｔ／ｓであるので、インタフェース統括部４４は、それらの合計値が一致していることを確認する（ステップＳ３０３）。
【００５０】
したがって、設定コマンドが示す内容に問題がないので、インタフェース統括部４４は、「１０Ｇｂｉｔ／ｓ×３波と２．５Ｇｂｉｔ／ｓ×４波のクライアント信号の合波」と「１０Ｇｂｉｔ／ｓ×２波、２．５Ｇｂｉｔ／ｓ×４波、１Ｇｂｉｔ／ｓ×１０波のＷＤＭ信号の分波」を示す設定情報を光信号合波・分波部４３に通知する。また、インタフェース統括部４４は、第一インタフェースを示す設定情報をクライアントインタフェース部４１‐１〜７に通知し、第二インタフェースを示す設定情報をＷＤＭインタフェース部４２‐１〜１６に通知する（ステップＳ３０４）。
【００５１】
クライアントインタフェース部４１‐１〜７は、設定情報を受信すると、その設定情報が示す第一インタフェースのクライアント信号が送受信できるように設定し、ＷＤＭインタフェース部４２‐１〜１６は、設定情報を受信すると、その設定情報が示す第二インタフェースのクライアント信号が送受信できるように設定する。また、光信号合波・分波部４３は、設定情報を受信すると、その設定情報に基づいて、「１０Ｇｂｉｔ／ｓ×３波と２．５Ｇｂｉｔ／ｓ×４波のクライアント信号の合波」と「１０Ｇｂｉｔ／ｓ×２波、２．５Ｇｂｉｔ／ｓ×４波、１Ｇｂｉｔ／ｓ×１０波のＷＤＭ信号の分波」とを行うように設定する（ステップＳ３０５）。
【００５２】
クライアントインタフェース部４１‐１〜７、ＷＤＭインタフェース部４２‐１〜１６および光信号合波・分波部４３のそれぞれは、設定が完了すると、設定完了通知をインタフェース統括部４４に送信する。インタフェース統括部４４は、それらの設定完了通知を全て受信すると、設定コマンドに対する応答情報として、設定ＯＫを示す応答情報をコマンド送信端末３に返信するコマンド送信端末３に出力する。コマンド送信端末３は、応答情報を受け付けると、その応答情報を光伝送システムの管理者などに通知する（ステップＳ３０８）。以上の動作により光送受信装置４に対する設定が完了する。
【００５３】
その後、クライアントインタフェース部４１‐１〜７は、クライアント信号送受信装置１から「１０Ｇｂｉｔ／ｓ×３波と２．５Ｇｂｉｔ／ｓ×４波」のクライアント信号を受信し、それらのクライアント信号を光信号合波・分波部４３に送信する。
【００５４】
光信号合波・分波部４３は、各クライアント信号を受信し、各クライアント信号を合波して伝送レート「４０Ｇｂｉｔ／ｓ」の光信号を生成し、その後、「１０Ｇｂｉｔ／ｓ×２波、２．５Ｇｂｉｔ／ｓ×４波、１Ｇｂｉｔ／ｓ×１０波のＷＤＭ信号」に分波してＷＤＭインタフェース部４２‐１〜１６に送信する。
【００５５】
ＷＤＭインタフェース部４２‐１〜１６は、光信号合波・分波部４３から受信したＷＤＭ信号送受信装置２に送信する。
【００５６】
以上説明したように、本実施形態によれば、インタフェース統括部４４は、クライアント信号送受信装置１との間で送受信可能な光信号の第一インタフェースと、ＷＤＭ信号送受信装置２との間で送受信可能な光信号の第二インタフェースとを示す設定コマンドを受け付ける。インタフェース統括部４４は、クライアントインタフェース部４１‐ｎに対して第一インタフェースのクライアント信号を送受信するように設定し、ＷＤＭインタフェース部４２‐１〜ｍに対して第二インタフェースＷＤＭ信号を送受信するように設定する。
【００５７】
この場合、設定コマンドが示すインタフェースの信号を送受信することが可能になるので、光信号送受信装置に備わった光送受信モジュールを光信号のインタフェースにあわせて物理的に変更する必要がなくなる。このため、光ネットワークの変更に係るコストと時間とを軽減することが可能になる。
【００５８】
また、本実施形態では、設定コマンドは、各クライアント信号の第一伝送レートと、各第ＷＤＭ信号の第二伝送レートとをさらに示す。また、インタフェース統括部４４は、光信号合波・分波部４３に対して、各受信クライアント光信号が設定コマンドにて示される第二伝送レートの各送信ＷＤＭ信号に変換され、各受信ＷＤＭ信号が設定コマンドにて示される第一伝送レートの各送信クライアント光信号に変換されるように設定する。
【００５９】
この場合、インタフェースの変更に伴い、光信号の伝送レートが変更されても、光信号の送受信が可能となる。
【００６０】
また、本実施形態では、設定コマンドは、クライアント信号の数である第一設定数と、ＷＤＭ光信号の数である第二設定数とをさらに示す。インタフェース統括部４４は、第一設定数がクライアントインタフェース部にて送受信可能な光信号の数である第一設定最大値以下であり、かつ、第二設定数がＷＤＭインタフェース部にて送受信可能な光信号の数である第二設定最大値以下の場合、クライアントインタフェース部、ＷＤＭインタフェース部および光信号・合波分波部に対する設定を行う。
【００６１】
この場合、誤った設定が行われることを軽減することが可能になる。
【００６２】
また、本実施形態では、インタフェース統括部４４は、第一伝送レートの合計値と第二伝送レートの合計値とが一致している場合、クライアントインタフェース部、ＷＤＭインタフェース部および光信号・合波分波部に対する設定を行う。
【００６３】
この場合、誤った設定が行われることを軽減することが可能になる。
【００６４】
以上説明した各実施形態において、図示した構成は単なる一例であって、本発明はその構成に限定されるものではない。
【００６５】
例えば、インタフェース統括部４４は、コマンド送信端末３を介さずに光伝送システムの管理者などから直接設定コマンドを受け付けてもよい。この場合、インタフェース統括部４４は、管理者に種々の情報を通知するための表示装置などの通知部をさらに備え、設定コマンドに対する応答情報を通知部を用いて管理者に通知してもよい。また、インタフェース統括部４４は、コマンド送信端末３と無線にて接続されていてもよい。
【符号の説明】
【００６６】
１        クライアント信号送受信装置
２        ＷＤＭ信号送受信装置
３        コマンド送信端末
４        光送受信装置
４１      クライアントインタフェース部
４２      ＷＤＭインタフェース部
４３      光信号合波・分波部
４４      インタフェース統括部
【図１】
2012029048.tif 000003
【図２】
2012029048.tif 000004
【図３】
2012029048.tif 000005